(57)【要約】      （修正有）【課題】給水配管に対する水噴霧ヘッドの取付け角度を固定したままでストレーナの清掃や交換等を行うことができる水噴霧ヘッドを提供する。【解決手段】給水配管３０から給水された水を所定領域に噴霧するための水噴霧ヘッド１であって、給水配管３０に接続され、当該給水配管３０から給水された水を受け入れるヘッド本体１０と、このヘッド本体１０に一体又は別体に接続され、当該ヘッド本体１０にて受入れられた水を所定領域に噴霧するノズル部２０とを備え、ヘッド本体１０には、給水配管３０から給水された水を濾過するためのストレーナ５０と、このストレーナ５０を当該ヘッド本体１０に対して着脱自在とする蓋部４０とを設ける。この蓋部４０を、給水配管３０とヘッド本体１０との相互間の接続箇所、及び、ヘッド本体１０とノズル部２０との相互間の接続箇所とは、異なる位置に配置する。【選択図】図４
2006181403.tif 000002
【特許請求の範囲】
【請求項１】
給水配管に接続され、当該給水配管から給水された水を所定領域に噴霧するための水噴霧ヘッドであって、
前記給水配管に接続され、当該給水配管から給水された水を受け入れるヘッド本体と、
前記ヘッド本体に一体又は別体に接続され、当該ヘッド本体にて受入れられた水を前記所定領域に噴霧するノズル部とを備え、
前記ヘッド本体には、前記給水配管から給水された水を濾過するための濾過手段と、前記濾過手段を当該ヘッド本体に対して着脱自在とする着脱手段とを設け、
前記着脱手段を、前記給水配管と前記ヘッド本体との相互間の接続箇所、及び、前記ヘッド本体と前記ノズル部との相互間の接続箇所とは、異なる位置に配置したこと、
を特徴とする水噴霧ヘッド。
【請求項２】
前記ヘッド本体には、当該ヘッド本体を前記給水配管に接続するための一次側接続口と、当該ヘッド本体に前記ノズル部を接続するための二次側接続口と、前記濾過手段を当該ヘッド本体に対して出し入れ可能とする交換用接続口とを、相互に異なる位置に設けたこと、
を特徴とする請求項１に記載の水噴霧ヘッド。
【請求項３】
前記着脱手段は、前記交換用接続口を封止するために当該交換用接続口に対して着脱自在に設けられた蓋部であること、
を特徴とする請求項２に記載の水噴霧ヘッド。
【請求項４】
前記一次側接続口又は前記二次側接続口と、前記交換用接続口とを相互に略同一直線上に配置し、
前記給水配管と前記一次側接続口との相互間、又は、前記二次側接続口と前記ノズル部との相互間と、前記交換用接続口と前記蓋部との相互間とを、それぞれネジ固定可能とし、
前記給水配管と前記一次側接続口との相互間のネジ固定方向、又は、前記二次側接続口と前記ノズル部との相互間のネジ固定方向と、前記交換用接続口と前記蓋部との相互間のネジ固定方向とを、相互に逆方向としたこと、
を特徴とする請求項２又は３に記載の水噴霧ヘッド。
【請求項５】
前記濾過手段は、前記着脱手段に固定されていること、
を特徴とする請求項１〜４のいずれか一つに記載の水噴霧ヘッド。
【発明の詳細な説明】
【技術分野】
【０００１】
本発明は、例えばトンネル内に設置された水噴霧設備の給水配管等に取付けられて、水噴霧を行うための水噴霧ヘッドに関する。
【背景技術】
【０００２】
従来から、トンネル等の各種の防護領域で発生した火災の抑制、延焼防止、あるいは、消火を行うための水噴霧設備が提案されている。このような水噴霧設備は、一般に、火災感知器、制御装置、貯水槽、ポンプ、給水配管、及び、水噴霧ヘッドを備えて構成されている。そして、防護領域において火災が発生したことが火災感知器で感知されると、この火災感知器から制御装置に発報信号が出力される。この制御装置によってポンプが起動されると、貯水槽に貯められた噴霧用水が、給水配管を介して圧送され、この給水配管の端部に設けられた水噴霧ヘッドを介して防護領域に噴霧される。
【０００３】
ここで、広範な防護領域に効率良く噴霧用水を噴霧するため、噴霧用水の放水圧力を高める等の目的から、水噴霧ヘッドの内部の放水経路は非常に狭く構成されている。しかしながら、この放水経路は、噴霧用水に混入しているゴミや、給水配管の内部の錆び、あるいは、給水配管を敷設した際の溶接カス等によって詰まり易く、噴霧活動に支障を来たす可能性がある。特に、トンネル等の屋外設備においては、雨水を貯めて噴霧用水に利用したり、近隣河川から水を引き込んで利用することがあるため、噴霧用水に多くのゴミが混入している可能性があり、そのゴミ詰まりに対する対策が要望される。
【０００４】
このため、従来は、給水配管の内部にストレーナを設け、このストレーナによって噴霧用水中の各種のゴミ等を除去していた。例えば、特許文献１には、消火用配管の内部にストレーナを設けることが開示されている。このような構成によれば、ストレーナによって噴霧用水中の各種のゴミ等を除去でき、比較的きれいな噴霧用水のみを水噴霧ヘッドに供給して、水噴霧ヘッドの放水経路が詰まることを未然に防止することが期待できる。
【０００５】
また、従来、水噴霧ヘッドの内部にストレーナを設けたものも提案されていた。例えば、特許文献２には、消火用散水ノズルのノズル本体の内部において、一次側流入路に第１のストレーナ、二次側流入路に第２のストレーナを設けることが開示されている。このような構成によれば、ゴミを含んだ噴霧用水が水噴霧ヘッドに流入した場合においても、この水噴霧ヘッドの内部のストレーナによってゴミを除去できるので、噴霧孔が詰まることを未然に防止することが期待できる。
【０００６】
【特許文献１】特開平１１−２９９９２０号公報
【特許文献２】特開２００１−１３７３７８号公報
【発明の開示】
【発明が解決しようとする課題】
【０００７】
ここで、給水配管の内部にストレーナを設けた場合において、定期点検時等に給水配管からストレーナを取外してこのストレーナに詰まったゴミを除去するためには、給水配管から水噴霧ヘッドを一旦取外さなければ、ストレーナを取外すことができなかった。しかしながら、給水配管に対する水噴霧ヘッドの取付け角度は、防護領域に対して噴霧用水を最適な状態で噴霧できるように調整されているため、給水配管から水噴霧ヘッドを取外した場合には、この取付け角度を再調整する必要があり、定期点検等に非常に手間を要していた。また、水噴霧ヘッドの取外しが不要になるように、給水配管にフランジを設け、このフランジを介してストレーナを取出し可能とすることも考えられるが、この場合には、水噴霧ヘッドから離れた場所での作業を強いられることになり、水噴霧ヘッドを中心に行われる定期点検作業とは別個の作業を行うことになるため、点検作業効率を低下させるという新たな問題が生じる。また、この構成では、部品数が増加するという問題や、ストレーナと水噴霧ヘッドとの間にゴミがあった場合にはこれを除去できず、水噴霧ヘッドにおけるゴミ詰まりを防止できないという問題があった。
【０００８】
また、水噴霧ヘッドの内部にストレーナを設けた場合において、従来の構成では、水噴霧ヘッドからストレーナを着脱することができなかった。従って、ストレーナを清掃したい場合には、水噴霧ヘッド全体を交換する必要があり、水噴霧設備の維持コストを向上させる一因になっていた。あるいは、水噴霧ヘッドからストレーナを着脱可能とする場合においても、水噴霧ヘッドを給水配管に接続するための接続ネジ部を介して、ストレーナの取外しを行うように構成されていた。このため、ストレーナを清掃するためには、結局、水噴霧ヘッドを給水配管から一旦取外す必要があり、給水配管の内部にストレーナを設けた場合と同様、給水配管に対する水噴霧ヘッドの取付け角度を調整する必要が生じていた。
【０００９】
本発明は、上記に鑑みてなされたものであって、給水配管に対する水噴霧ヘッドの取付け角度を固定したままでストレーナの清掃や交換等を行うことができる水噴霧ヘッドを提供することを目的とする。
【課題を解決するための手段】
【００１０】
上述した課題を解決し、目的を達成するために、請求項１に記載の本発明は、給水配管に接続され、当該給水配管から給水された水を所定領域に噴霧するための水噴霧ヘッドであって、前記給水配管に接続され、当該給水配管から給水された水を受け入れるヘッド本体と、前記ヘッド本体に一体又は別体に接続され、当該ヘッド本体にて受入れられた水を前記所定領域に噴霧するノズル部とを備え、前記ヘッド本体には、前記給水配管から給水された水を濾過するための濾過手段と、前記濾過手段を当該ヘッド本体に対して着脱自在とする着脱手段とを設け、前記着脱手段を、前記給水配管と前記ヘッド本体との相互間の接続箇所、及び、前記ヘッド本体と前記ノズル部との相互間の接続箇所とは、異なる位置に配置したことを特徴とする。
【００１１】
また、請求項２に記載の本発明は、請求項１に記載の本発明において、前記ヘッド本体には、当該ヘッド本体を前記給水配管に接続するための一次側接続口と、当該ヘッド本体に前記ノズル部を接続するための二次側接続口と、前記濾過手段を当該ヘッド本体に対して出し入れ可能とする交換用接続口とを、相互に異なる位置に設けたことを特徴とする。
【００１２】
また、請求項３に記載の本発明は、請求項２に記載の本発明において、前記着脱手段は、前記交換用接続口を封止するために当該交換用接続口に対して着脱自在に設けられた蓋部であることを特徴とする。
【００１３】
また、請求項４に記載の本発明は、請求項２又は３に記載の本発明において、前記一次側接続口又は前記二次側接続口と、前記交換用接続口とを相互に略同一直線上に配置し、前記給水配管と前記一次側接続口との相互間、又は、前記二次側接続口と前記ノズル部との相互間と、前記交換用接続口と前記蓋部との相互間とを、それぞれネジ固定可能とし、前記給水配管と前記一次側接続口との相互間のネジ固定方向、又は、前記二次側接続口と前記ノズル部との相互間のネジ固定方向と、前記交換用接続口と前記蓋部との相互間のネジ固定方向とを、相互に逆方向としたことを特徴とする。
【００１４】
また、請求項５に記載の本発明は、請求項１〜４のいずれか一つに記載の本発明において、前記濾過手段は、前記着脱手段に固定されていることを特徴とする。
【発明の効果】
【００１５】
本発明に係る水噴霧ヘッドによれば、着脱手段を介して濾過手段をヘッド本体から取外すことができ、濾過手段の清掃や交換等を容易に行うことができる。特に、着脱手段を、給水配管とヘッド本体との相互間の接続箇所、及び、ヘッド本体とノズル部との相互間の接続箇所とは、異なる位置に配置しているので、着脱手段を介して行われる濾過手段の着脱動作が、これら各接続箇所に直接的に影響を与えることがないので、給水配管とヘッド本体との相互間の取付け角度、及び、ヘッド本体とノズル部との相互間の取付け角度を、最適な状態に維持したまま、濾過手段の清掃や交換等を行うことができ、取付け角度の再調整を不要として、点検作業等を一層効率良く行うことができる。
【００１６】
また、本発明に係る水噴霧ヘッドによれば、給水配管と一次側接続口との相互間のネジ固定方向、又は、二次側接続口とノズル部との相互間のネジ固定方向と、交換用接続口と蓋部との相互間のネジ固定方向とを、相互に逆方向としたので、蓋部を取外す際にこの蓋部を取外すために大きな力を加えても、ヘッド本体と給水配管との相互間の取付け角度や、ヘッド本体とノズル部との相互間の取付け角度を最適な状態に維持することができる。
【００１７】
また、本発明に係る水噴霧ヘッドによれば、濾過手段が着脱手段に固定されているので、水噴霧ヘッドから着脱手段を着脱することに伴って濾過手段を着脱できるので、濾過手段の着脱が一層容易になる。
【発明を実施するための最良の形態】
【００１８】
以下に添付図面を参照して、この発明に係る水噴霧ヘッドの各実施の形態を詳細に説明する。まず、〔 I 〕本発明の基本的概念を説明した後、〔II〕本発明の各実施の形態について説明し、〔III〕最後に、本発明の各実施の形態に対する変形例について説明する。
【００１９】
〔 I 〕本発明の基本的概念
まず、本発明の基本的概念について説明する。本発明は、給水配管に接続され、当該給水配管から給水された水を所定領域に噴霧するための水噴霧ヘッドに関するものである。ここで、所定領域や水噴霧の目的の具体的内容は任意であり、例えば、トンネル内部等の防護区画において発生した火災の抑制、延焼防止、あるいは、消火を行うために水を噴霧する場合や、農場にて作物に給水するために水を噴霧する場合等を含む。また、これに応じて水噴霧ヘッドの具体的な名称や使用形態も任意であり、例えば、水噴霧ヘッドを、トンネル内部の水噴霧設備における散水ヘッドや、室内の水噴霧設備におけるスプリンクラーヘッドとして構成することができる。
【００２０】
このような前提において、本発明に係る水噴霧ヘッドは、給水配管に接続され、当該給水配管から給水された水を受け入れるヘッド本体と、ヘッド本体に一体又は別体に接続され、当該ヘッド本体にて受入れられた水を所定領域に噴霧するノズル部とを備えて構成されており、このヘッド本体の内部には、濾過手段が設けられている。従って、給水配管を介して水噴霧ヘッドに供給された水にゴミ等が含まれる場合においても、このゴミが濾過手段にて濾過されるので、水噴霧ヘッドの内部におけるゴミ詰まりを防止できる。
【００２１】
そして、この濾過手段を定期点検時等に清掃や交換できるように、水噴霧ヘッドには、濾過手段を水噴霧ヘッドに対して着脱自在とする着脱手段が設けられている。特に、この着脱手段は、給水配管と後述するヘッド本体との相互間の接続箇所や、ヘッド本体とノズル部との相互間の接続箇所とは、異なる位置に配置されている。従って、着脱手段を介して濾過手段を着脱する際、給水配管とヘッド本体との相互間の接続関係と、ヘッド本体とノズル部との相互間の接続関係とを、変更することなく一定に維持できる。このため、給水配管からヘッド本体を介してノズル部に至る角度を一定に維持できるので、水噴霧角度を保持でき、濾過手段の交換時にもこの水噴霧角度を再調整する必要がなくなる。
【００２２】
さらに本発明においては、このように水噴霧角度を維持する上において、あるいは、濾過手段の交換性を向上させる上において、種々の工夫が施されている。これらの工夫については、以下の各実施の形態において詳述する。
【００２３】
〔II〕本発明の各実施の形態
以下、本発明に係る水噴霧ヘッドの各実施の形態について説明する。
【００２４】
〔実施の形態１〕
まず、実施の形態１について説明する。本実施の形態１に係る水噴霧ヘッドは、（１）水噴霧ヘッドのヘッド本体に、水を濾過するための濾過手段とこの濾過手段を当該ヘッド本体に対して着脱自在とする着脱手段とを設けた点、（２）一次側接続口、二次側接続口、及び、交換用接続口を、相互に異なる位置に設けた点、（３）蓋部を交換用接続口に対して着脱自在に設けた点、（４）給水配管と一次側接続口との相互間のネジ固定方向と、交換用接続口と蓋部との相互間のネジ固定方向とを、相互に逆方向とした点、及び、（５）ノズル部に整流路を設けた点、等を主たる特徴の一部としている。
【００２５】
図１は、実施の形態１に係る水噴霧ヘッドの側面図、図２は、図１の水噴霧ヘッドの正面図、図３は、図１の水噴霧ヘッドを反対側から見た側面図、図４は、図２のＡ−Ａ矢視断面図、図５は、図４に示す水噴霧ヘッドの分解図である。なお、以下の説明では、水噴霧ヘッドに関する各方向を、図１〜３に示すＸ方向、Ｙ方向、及び、Ｚ方向のように定義し、必要に応じて、Ｘ方向を出水方向、Ｙ方向を入水方向、Ｚ方向を高さ方向又は上下方向と称する。
【００２６】
これら図１〜３に示すように、水噴霧ヘッド１は、ヘッド本体１０に２つのノズル部２０、２１を接続して構成されている。このうち、ヘッド本体１０は、給水配管３０（図示において想像線にて示す）に接続され、当該給水配管３０から給水された水を受け入れるものである。
【００２７】
具体的には、ヘッド本体１０は、図４、５に示すように、全体として中空の短管状に形成されており、その入水方向の両端には、それぞれ開口部１１、１２が形成されている。これら各開口部１１、１２の内縁には、図５に示すように、ネジ溝１３、１４が形成されており、このネジ溝１３、１４に給水配管３０又は後述する蓋部４０がネジ込まれることによって、これら給水配管３０又は蓋部４０とヘッド本体１０とが相互に接続される。すなわち、開口部１１と開口部１２は、それぞれ、特許請求の範囲における一次側接続口と交換用接続口とに対応する。
【００２８】
また、ヘッド本体１０の入水方向の略中央位置には、２つの開口部１５が形成されている（一方の開口部１５は図示せず）。この開口部１５の内縁にはネジ溝１６が形成されており、このネジ溝１６にノズル部２０、２１の一端がネジ込まれることによって、ノズル部２０、２１とヘッド本体１０とが相互に接続される。すなわち、この開口部１５は、特許請求の範囲における二次側接続口に対応する。
【００２９】
また、ノズル部２０、２１は、ヘッド本体１０にて受入れられた水を前記所定領域に噴霧するためのものである。このノズル部２０、２１は、図５に示すように、全体として中空の短管状に形成されており、その出水方向の両端には、それぞれ開口部２２、２３が形成されている。このノズル部２０、２１の両端のうち、ヘッド本体１０の側の端部の外周には、ヘッド本体１０との接続用のネジ溝２４が形成されている。また、ノズル部２０、２１の開口部２３は、ノズル孔として機能する。なお、以下の説明では、ノズル部２０についてのみ説明するが、ノズル部２１についても特記する場合を除いて同様である。
【００３０】
また、ノズル部２０の内部には、整流路２５が形成されている。この整流路２５は、ノズル部２０の開口部２２、２３の内径よりもさらに小径の流路であり、ノズル部２０に流入した水を整流しつつ増速するものであり、このことによって開口部２３から放出される水の流速を向上させることができる。
【００３１】
ここで、ヘッド本体１０の内部空間には、ストレーナ５０が収容されている。このストレーナ５０は、給水配管３０から給水された水を濾過するためのもので、特許請求の範囲における濾過手段に対応する。具体的には、ストレーナ５０は、全体として略中空円筒状に構成され、その側壁の略全域が網目状に形成されており、この側壁を水が通過してノズル部２０に至る際に、この水に含まれる各種のゴミ等が除去される。特に、本実施の形態１においては、ノズル部２０に設けた整流路２５よりも上流側にストレーナ５０を設けているので、この整流路２５がゴミ等によって目詰まりすることを防止できる。このストレーナ５０の側壁を形成する素材は任意であるが、例えば、金属、合成樹脂、又は、合成繊維による網体にて構成することができる。
【００３２】
また、ヘッド本体１０の交換側接続口である開口部１２には、蓋部４０が設けられている。この蓋部４０は、当該ヘッド本体１０からストレーナ５０を着脱自在とするためのもので、特許請求の範囲における着脱手段を構成する。具体的には、蓋部４０は、開口部１２より若干大径の略円板体として構成されており、その一側面には、開口部１２に向けて延出する延出部４１が設けられている。この延出部４１の外周にはネジ溝４２が形成されており、このネジ溝４２を開口部１２の内縁のネジ溝１４に螺合させることによって、蓋部４０をヘッド本体１０に対して取付けることができる。従って、ヘッド本体１０から蓋部４０を取外した状態において、ヘッド本体１０に対してストレーナ５０を着脱できることから、定期点検時等においてストレーナ５０の清掃や交換を容易に行うことができる。なお、蓋部４０とヘッド本体１０との間にはパッキン４３が設けられ、防水性が確保されている。
【００３３】
ここで、図４に示すように、蓋部４０は、一次側接続口としての開口部１１、二次側接続口としての開口部１５、及び、交換用接続口としての開口部１２は、相互に異なる位置に設けられている。すなわち、上述した特許文献２に記載の水噴霧ヘッドにおいては、一次側接続口が交換用接続口を兼ねているのに対して、本実施の形態１においては、これら各開口部１１、１２、１５が相互に重複しない位置に設けられている。従って、ヘッド本体１０にストレーナ５０を着脱する際、蓋部４０を取外して開口部１２を開放しても、一次側接続口である開口部１１や二次側接続口である開口部１５を開放する必要がないので、給水配管３０に対するヘッド本体１０の取付け角度と、ヘッド本体１０に対するノズル部２０の取付け角度とに影響を与えることがない。
【００３４】
また、本実施の形態１においては、一次側接続口である開口部１１と交換用接続口である開口部１２とを、入水方向において相互に略同一直線上に配置している。従って、ヘッド本体１０から蓋部４０を取外すために当該蓋部４０を回転させると、この回転力がヘッド本体１０と給水配管３０との締結力に悪影響を及ぼす可能性がある。このような問題を防止するため、本実施の形態１においては、蓋部４０をヘッド本体１０にネジ止めする際の螺合方向（図５に示すＡ方向）が、ヘッド本体１０を給水配管３０にネジ止めする際の螺合方向（図５に示すＢ方向）に対して逆方向になるように、これら各部のネジ溝１３、１４、４２（及び給水配管３０の端部のネジ溝）が形成されている。例えば、蓋部４０から給水配管３０に向かって、Ａ方向は反時計周り、Ｂ方向は時計周りである。また、このことから当然に、蓋部４０をヘッド本体１０から取外す際の螺合方向（Ａ方向と反対の方向、以下、Ａ’方向）は、ヘッド本体１０を給水配管３０から取外す際の螺合方向（Ｂ方向と反対の方向、以下、Ｂ’方向）に対して逆方向になる。例えば、蓋部４０から給水配管３０に向かって、Ａ’方向は時計周り、Ｂ’方向は反時計周りである。
【００３５】
従って、給水配管３０に固定されたヘッド本体１０から蓋部４０を取外す際、蓋部４０を時計周りに回転させることによって当該蓋部４０を取外すことができ、また、この回転方向は、ヘッド本体１０を給水配管３０に固定する時の方向であるから、ヘッド本体１０と給水配管３０との相互の固定を緩めることがない。このため、蓋部４０の取付け後から長時間を経て当該蓋部４０を取外すような場合において、この蓋部４０が錆等によってヘッド本体１０に固着している際に、この蓋部４０を取外すために大きな力を加えても、ヘッド本体１０と給水配管３０との相互間の取付け角度を維持することができる。なお、蓋部４０の取外し時よりも、蓋部４０の取付け時に大きな力を加えるような場合には、上記と逆に、Ａ方向とＢ方向（又は、Ａ’方向とＢ’方向）とを相互に同一にしても良い。
【００３６】
このように本実施の形態１によれば、整流路２５を有するノズル部２０よりも上流側にストレーナ５０を設けたので、この整流路２５がゴミ等にて目詰まりすることを防止できる。また、ヘッド本体１０から蓋部４０を取外すことで、定期点検時等においてストレーナ５０の清掃や交換を容易に行うことができる。特に、蓋部４０を取外して開口部１２を開放しても、一次側接続口である開口部１１や二次側接続口である開口部１５を開放する必要がないので、給水配管３０に対するヘッド本体１０の取付け角度と、ヘッド本体１０に対するノズル部２０の取付け角度とに影響を与えることがなく、最適な水噴霧角度を維持できる。また、蓋部４０を取外す際にこの蓋部４０を取外すために大きな力を加えても、ヘッド本体１０と給水配管３０との相互間の取付け角度を維持することができる。
【００３７】
〔実施の形態２〕
次に、実施の形態２について説明する。この実施の形態２は、一次側接続口と二次側接続口を略同一直線上に配置している点において、一次側接続口と二次側接続口を非同一直線上に配置した実施の形態１とは異なる。ただし、特に説明なき構成については、実施の形態１と同様であり、実施の形態１と略同一の構成については、必要に応じて、実施の形態１の説明中に使用した符号と同一の名称又は符号を付する。また、本実施の形態２における水噴霧ヘッドに関する各方向も、第１の実施の形態と同様に定義する。
【００３８】
図６は、実施の形態２に係る水噴霧ヘッドの正面図、図７は、図６の水噴霧ヘッドのＢ−Ｂ矢視断面図である。これら各図に示すように、水噴霧ヘッド６０は、ヘッド本体７０に２つのノズル部８０、８１を接続して構成されている。なお、以下の説明では、ノズル部８０についてのみ説明するが、ノズル部８１についても特記する場合を除いて同様である。
【００３９】
ここで、ヘッド本体７０の入水方向の両端には、それぞれ開口部７１、７２が形成されている。このうち、一方の開口部７１は、給水配管３０が接続されるもので、特許請求の範囲における一次側接続口に対応する。また、他方の開口部７２は、ノズル部８０が接続されるもので、特許請求の範囲における二次側接続口に対応する。また、ヘッド本体７０の入水方向の略中央位置には、２つの開口部７３、７４が形成されている（図７においては一方の開口部７４のみを示す）。このうち、開口部７３は、ノズル部８１が接続されるもので、特許請求の範囲における二次側接続口に対応する。また、他方の開口部７４は、ストレーナ９０をヘッド本体７０に対して出し入れ可能とするものであり、特許請求の範囲における交換用接続口に対応する。
【００４０】
ここで、ヘッド本体７０の内部空間には、ストレーナ９０が収容されている。このストレーナ９０は、給水配管３０から給水された水を濾過するためのもので、特許請求の範囲における濾過手段に対応する。具体的には、ストレーナ９０は、全体として略中空筒状に形成されており、開口部７１に対向する面を開放状とされると共に、開口部７２に対向する面にも網状の側壁を設けて構成され、給水配管３０から供給された水が開口部７１から流入して開口部７２に至る際、この水に含まれるゴミ等が側壁によって除去される。
【００４１】
また、開口部７４には、蓋部４０がネジにてネジ止めされている。この蓋部４０は、当該ヘッド本体７０からストレーナ９０を着脱自在とするためのもので、特許請求の範囲における着脱手段を構成する。従って、ヘッド本体７０から蓋部４０を取外した状態において、ヘッド本体７０に対してストレーナ９０を着脱できることから、定期点検時等においてストレーナ９０の清掃や交換を容易に行うことができる。
【００４２】
ここで、実施の形態１と同様に、一次側接続口としての開口部７１、二次側接続口としての開口部７２、及び、交換用接続口としての開口部７４は、相互に異なる位置に設けられている。従って、ヘッド本体７０にストレーナ９０を着脱する際、蓋部４０を取外して開口部７４を開放しても、一次側接続口である開口部７１や二次側接続口である開口部７２を開放する必要がないので、給水配管３０に対するヘッド本体７０の取付け角度と、ヘッド本体７０に対するノズル部８０の取付け角度とに影響を与えることがない。
【００４３】
また、本実施の形態２においては、実施の形態１とは異なり、一次側接続口である開口部７１と二次側接続口である開口部７２とを、入水方向において相互に略同一直線上に配置している一方、交換用接続口である開口部７４については、これら開口部７１や開口部７２に対して略非直線上に配置されている。従って、ヘッド本体７０から蓋部を取外すために当該蓋部４０を回転させても、この回転力が給水配管３０とヘッド本体７０との締結力や、ヘッド本体７０とノズル部８０との締結力に直接的に影響を及ぼすことがないので、この蓋部４０を取外すために大きな力を加えても、給水配管３０とヘッド本体７０との相互間の取付け角度や、ヘッド本体７０とノズル部８０との相互間の取付け角度を維持することができる。
【００４４】
このように本実施の形態２によれば、実施の形態１と同様の効果に加えて、一次側接続口及び二次側接続口と、交換用接続口とを、略非直線上に配置したので、噴霧角度を一層容易に維持することができる。
【００４５】
〔実施の形態３〕
次に、実施の形態３について説明する。この実施の形態３は、ストレーナの着脱方向を入出方向や出水方向に対して非平行とした点において、ストレーナの着脱方向を入水方向に対して平行状とした実施の形態１とは異なる。ただし、特に説明なき構成については、実施の形態１と同様であり、実施の形態１と略同一の構成については、必要に応じて、実施の形態１の説明中に使用した符号と同一の名称又は符号を付する。また、本実施の形態３における水噴霧ヘッドに関する各方向も、第１の実施の形態と同様に定義する。
【００４６】
図８は、実施の形態３に係る水噴霧ヘッドの側面図、図９は、図８の水噴霧ヘッドの正面図、図１０は、図９のＣ−Ｃ矢視断面図である。これら各図に示すように、水噴霧ヘッド１００は、ヘッド本体１１０に２つのノズル部１２０、１２１を接続して構成されている。なお、以下の説明では、ノズル部１２０についてのみ説明するが、ノズル部１２１についても特記する場合を除いて同様である。
【００４７】
ここで、ヘッド本体１１０の入水方向の一端には、開口部１１１（図９において点線で図示する）が形成されている。この開口部１１１は、給水配管３０が接続されるもので、特許請求の範囲における一次側接続口に対応する。また、図１０に示すように、ヘッド本体１１０の入水方向の略中央位置には、２つの開口部１１２が形成されている。そして、各開口部１１２にノズル部１２０、１２１の一端がネジ込まれることによって、ノズル部１２０、１２１とヘッド本体１１０とが相互に接続される。すなわち、この開口部１１２は、特許請求の範囲における二次側接続口に対応する。また、ヘッド本体１１０には、開口部１１３が形成されている。この開口部１１３は、後述するストレーナ１３０を交換するための開口であり、特許請求の範囲における交換用接続口に対応する。
【００４８】
また、ヘッド本体１１０の内部空間には、ストレーナ１３０が収容されている。このストレーナ１３０は、給水配管３０から給水された水を濾過するためのもので、特許請求の範囲における濾過手段に対応する。具体的には、ストレーナ１３０は、全体として略中空筒状に形成されており、開口部１１１に対向する面のみを開放状として構成され、給水配管３０から供給された水が開口部１１１から流入して開口部１１２に至る際、この水に含まれるゴミ等が側壁によって除去される。
【００４９】
また、開口部１１３には、蓋部４０がネジにてネジ止めされている。この蓋部４０は、当該ヘッド本体１１０からストレーナ１３０を着脱自在とするためのもので、特許請求の範囲における着脱手段を構成する。従って、ヘッド本体１１０から蓋部４０を取外した状態において、ヘッド本体１１０に対してストレーナ１３０を着脱できることから、定期点検時等においてストレーナ１３０の清掃や交換を容易に行うことができる。
【００５０】
ここで、実施の形態１と同様に、一次側接続口としての開口部１１１、二次側接続口としての開口部１１２、及び、交換用接続口としての開口部１１３は、相互に異なる位置に設けられている。従って、ヘッド本体１１０にストレーナ１３０を着脱する際、蓋部４０を取外して開口部１１３を開放しても、一次側接続口である開口部１１１や二次側接続口である開口部１１２を開放する必要がないので、給水配管３０に対するヘッド本体１１０の取付け角度と、ヘッド本体１１０に対するノズル部１２０の取付け角度とに影響を与えることがない。
【００５１】
また、本実施の形態３においては、実施の形態１と異なり、ストレーナ１３０の着脱方向を入出方向や出水方向に対して非平行としている。すなわち、図１０に示すように、ストレーナ１３０の着脱方向は図示斜め方向である。従って、ヘッド本体１１０から蓋部を取外すために当該蓋部４０を回転させても、この回転力が給水配管３０とヘッド本体１１０との締結力や、ヘッド本体１１０とノズル部１２０との締結力に直接的に影響を及ぼすことがないので、この蓋部４０を取外すために大きな力を加えても、給水配管３０とヘッド本体１１０との相互間の取付け角度や、ヘッド本体１１０とノズル部１２０との相互間の取付け角度を維持することができる。
【００５２】
このように本実施の形態３によれば、実施の形態１と同様の効果に加えて、ストレーナの着脱方向を入出方向や出水方向に対して非平行としたので、噴霧角度を一層容易に維持することができる。
【００５３】
〔III〕実施の形態に対する変形例
以上、本発明の各実施の形態について説明したが、本発明の具体的な構成及び方法は、特許請求の範囲に記載した各発明の技術的思想の範囲内において、任意に改変及び改良することができる。以下、このような変形例について説明する。
【００５４】
（適用対象について）
本発明の適用対象である水噴霧ヘッドの具体的目的や構造は任意に改変できる。例えば、上記各実施の形態においては、ノズル部をヘッド本体に着脱自在としているが、両者を一体に固定しても良い。
【００５５】
（着脱手段について）
まず、着脱手段の構造は、ヘッド本体からストレーナを着脱自在とできるものであれば良く、上記の蓋部４０のように、全体をヘッド本体にネジ止めする他、例えば、着脱手段を全体として平板状に形成して、その各隅の近傍位置においてヘッド本体にボルト等にて固定しても良い。あるいは、着脱手段による着脱が上記取付け角度に影響を与えないようにすることが好ましいため、非回転式の締結構造、例えば、バネによるクランプ構造を用いて、着脱手段をヘッド本体に固定しても良い。また、ストレーナを蓋部４０に固定することにより、蓋部４０をヘッド本体から着脱した時に、ストレーナもこれに伴って着脱するようにしても良い。この場合には、点検時のストレーナの着脱作業が一層容易になる。この固定構造は任意であるが、例えば、ストレーナと蓋部４０とをビス留め固定することで、ストレーナのみを交換可能としても良く、あるいは、ストレーナと蓋部４０とを溶着固定することで、ストレーナと一緒に蓋部４０も交換するようにしても良い。
【００５６】
（解決しようとする課題や発明の効果について）
また、本発明が解決しようとする課題や発明の効果は、上記した内容に限定されるものではなく、本発明によって、上記に記載されていない課題を解決したり、上記に記載されていない効果を奏することもでき、また、記載されている課題の一部のみを解決したり、記載されている効果の一部のみを奏することがある。例えば、上記取付け角度を完全に維持できない場合においても、その取付け角度のずれの程度や頻度を従来よりわずかでも低減できている限りにおいて、本発明の課題は達成されている。
【００５７】
この他、上記文書中や図面中で示した構造例、各部の寸法関係や位置関係、肉厚等については、あくまで例示であり、特記する場合を除いて任意に変更することができる。
【産業上の利用可能性】
【００５８】
以上のように、本発明に係る水噴霧ヘッドは、給水配管に対する取付け角度を低減して、ストレーナの点検作業を短時間で行うために有用である。
【図面の簡単な説明】
【００５９】
【図１】実施の形態１に係る水噴霧ヘッドの側面図である。
【図２】図１の水噴霧ヘッドの正面図である。
【図３】図１の水噴霧ヘッドを反対側から見た側面図である。
【図４】図２のＡ−Ａ矢視断面図である。
【図５】図４に示す水噴霧ヘッドの分解図である。
【図６】実施の形態２に係る水噴霧ヘッドの正面図である。
【図７】図６の水噴霧ヘッドのＢ−Ｂ矢視断面図である。
【図８】実施の形態３に係る水噴霧ヘッドの側面図である。
【図９】図８の水噴霧ヘッドの正面図である。
【図１０】図９のＣ−Ｃ矢視断面図である。
【符号の説明】
【００６０】
１、６０、１００  水噴霧ヘッド
１０、７０、１１０  ヘッド本体
１１、１２、１５、２２、２３、７１、７２、７４、１１１、１１２、１１３  開口部
１３、１４、１６、２４  ネジ溝
２０、２１、８０、８１、１２０、１２１  ノズル部
２５  整流路
３０  給水配管
４０  蓋部
５０、９０、１３０  ストレーナ
【図１】
2006181403.tif 000003
【図２】
2006181403.tif 000004
【図３】
2006181403.tif 000005
【図４】
2006181403.tif 000006
【図５】
2006181403.tif 000007
【図６】
2006181403.tif 000008
【図７】
2006181403.tif 000009
【図８】
2006181403.tif 000010
【図９】
2006181403.tif 000011
【図１０】
2006181403.tif 000012